(57)【特許請求の範囲】
【請求項１】
携帯情報端末と、印刷データの保存先となる記憶装置と、印刷データに基づき印刷ジョブを実行する画像形成装置と、が通信可能に接続される画像形成システムであって、
前記携帯情報端末は、
記録媒体に印刷された情報であり、印刷データの保存先およびファイル名を示す情報である符号化された印刷データ情報を読み取る読取部と、
前記読取部が読み取った前記印刷データ情報が示す保存先およびファイル名を前記画像形成装置に送信し、前記読取部が読み取った前記印刷データ情報が示すファイル名を有する印刷データに基づく印刷ジョブの実行要求を前記画像形成装置に行う通信部と、を備え、
前記画像形成装置は、前記携帯情報端末が読み取った前記印刷データ情報が示すファイル名を有する印刷データに基づく印刷ジョブの実行要求を前記携帯情報端末から受けた場合、前記携帯情報端末が読み取った前記印刷データ情報が示す保存先に対応する前記記憶装置と通信することにより、前記携帯情報端末が読み取った前記印刷データ情報が示すファイル名を有する印刷データを前記記憶装置から取得し、前記記憶装置から取得した印刷データに基づき印刷ジョブを実行するよう構成され、
前記画像形成装置は、ユーザー認証のための認証情報の入力を受け付ける入力部を備えているとともに、前記携帯情報端末は、前記認証情報の入力を促す情報を表示する表示部を備えており、
前記画像形成装置は、前記記憶装置から取得した印刷データに基づく印刷ジョブの実行に先立って、前記認証情報の入力を促す情報を表示するよう前記携帯情報端末に指示し、前記認証情報の入力を前記入力部が受け付けた場合に、前記記憶装置から取得した印刷データに基づき印刷ジョブを実行する一方、前記認証情報の入力を前記入力部が受け付けていない場合には、前記記憶装置から取得した印刷データに基づく印刷ジョブを実行しない
ことを特徴とする画像形成システム。
【請求項２】
前記携帯情報端末は、前記読取部が読み取った前記印刷データ情報が示すファイル名を有する印刷データに基づく印刷ジョブを前記画像形成装置に実行させるための印刷ジョブ実行指示を受け付ける受付部を備え、
前記通信部は、前記印刷ジョブ実行指示を前記受付部が受け付けた場合に、前記読取部が読み取った前記印刷データ情報が示す保存先およびファイル名を前記画像形成装置に送信し、前記読取部が読み取った前記印刷データ情報が示すファイル名を有する印刷データに基づく印刷ジョブの実行要求を前記画像形成装置に行うことを特徴とする請求項１に記載の画像形成システム。
【請求項３】
前記携帯情報端末は、画像を表示する表示部を備え、
前記受付部は、前記読取部が読み取った前記印刷データ情報が示すファイル名を有する印刷データに基づく画像を前記表示部に表示させるための画像表示指示も受け付け、
前記通信部は、前記画像表示指示を前記受付部が受け付けた場合には、前記読取部が読み取った前記印刷データ情報が示す保存先にアクセスすることにより、前記読取部が読み取った前記印刷データ情報が示すファイル名を有する印刷データを取得し、
前記表示部は、前記通信部が取得した印刷データに基づく画像を表示することを特徴とする請求項２に記載の画像形成システム。
【請求項４】
前記携帯情報端末は、前記携帯情報端末を振動させる振動発生部を備え、
前記振動発生部の振動駆動のオン／オフ設定を示す振動設定情報が前記印刷データ情報に付加されており、
前記振動発生部は、前記振動設定情報を含む前記印刷データ情報を前記読取部が読み取ったとき、前記振動設定情報が示すオン／オフ設定に基づき振動駆動することを特徴とする請求項１〜３のいずれかに記載の画像形成システム。
【発明の詳細な説明】
【技術分野】
【０００１】
本発明は、携帯情報端末および画像形成システムに関する。
【背景技術】
【０００２】
従来、インターネットなどのネットワークに接続可能な画像形成装置が知られている。たとえば、特許文献１には、画像形成装置と記憶装置とがネットワークを介して通信可能に接続された画像形成システムが開示されている。このような画像形成システムでは、ネットワークを介して、画像形成装置でスキャンした印刷データを記憶装置に送信し、その記憶装置に印刷データを保存することができる。また、記憶装置に保存された印刷データを読み出し、画像形成装置で印刷することもできる。
【先行技術文献】
【特許文献】
【０００３】
【特許文献１】特開２００７−１５０８８２号公報
【発明の概要】
【発明が解決しようとする課題】
【０００４】
たとえば、記憶装置に保存された印刷データに基づく印刷ジョブを画像形成装置に実行させたいユーザーは、画像形成装置の操作パネルを操作し、所望の印刷データの保存先アドレスを入力する。あるいは、操作パネルに保存先の一覧表を表示させ、その中から所望の印刷データが保存された記憶装置を選択する。
【０００５】
しかし、この場合には、ユーザーは、保存先アドレスを覚えておかなければならない。そして、画像形成装置に印刷ジョブを実行させるときには、保存先アドレスを入力するための操作を行わなければならない。すなわち、ユーザーからすると、画像形成装置に印刷ジョブを実行させるのに際して、多くの入力操作を行わなければならないので、煩わしく利便性が悪い。
【０００６】
本発明は、上記課題を解決するためになされたものであって、印刷ジョブの実行に際して、ユーザーが行う操作を減らすことでユーザーの利便性を向上させることが可能な携帯情報端末および画像形成システムを提供することを目的とする。
【課題を解決するための手段】
【０００７】
上記目的を達成するために、本発明の携帯情報端末は、記録媒体に印刷された情報であり、印刷データの保存先およびファイル名を示す情報である符号化された印刷データ情報を読み取る読取部と、読取部が読み取った印刷データ情報が示す保存先およびファイル名を画像形成装置に送信し、読取部が読み取った印刷データ情報が示すファイル名を有する印刷データに基づく印刷ジョブの実行要求を画像形成装置に行う通信部と、を備えている。
【０００８】
本発明の構成では、上記のように、読取部は、記録媒体に印刷された情報であり、印刷データの保存先およびファイル名を示す情報である符号化された印刷データ情報を読み取る。また、通信部は、読取部が読み取った印刷データ情報が示す保存先およびファイル名を画像形成装置に送信し、読取部が読み取った印刷データ情報が示すファイル名を有する印刷データに基づく印刷ジョブの実行要求を画像形成装置に行う。これにより、画像形成装置に通信可能に接続された外部の記憶装置に印刷データを保存している場合において、外部の記憶装置に保存された印刷データに基づく印刷ジョブを画像形成装置に実行させるとき、保存先の情報（アドレスなど）を画像形成装置に入力しなくてもよくなる。したがって、少ない操作で簡単に、外部の記憶装置に保存された印刷データに基づく印刷ジョブを画像形成装置に実行させることができる。これにより、ユーザーが行う操作が減るので、ユーザーの利便性が向上する。
【０００９】
上記構成において、好ましくは、読取部が読み取った印刷データ情報が示すファイル名を有する印刷データに基づく印刷ジョブを画像形成装置に実行させるための印刷ジョブ実行指示を受け付ける受付部を備え、通信部は、印刷ジョブ実行指示を受付部が受け付けた場合に、読取部が読み取った印刷データ情報が示す保存先およびファイル名を画像形成装置に送信し、読取部が読み取った印刷データ情報が示すファイル名を有する印刷データに基づく印刷ジョブの実行要求を画像形成装置に行う。これにより、印刷データ情報の読み取りを誤って行ってしまったとしても、印刷ジョブ実行指示を行わなければ、画像形成装置において印刷ジョブが実行されることはない。すなわち、不要な印刷物が出力されるのを抑制することができる。
【００１０】
上記構成において、好ましくは、画像を表示する表示部を備え、受付部は、読取部が読み取った印刷データ情報が示すファイル名を有する印刷データに基づく画像を表示部に表示させるための画像表示指示も受け付け、通信部は、画像表示指示を受付部が受け付けた場合には、読取部が読み取った印刷データ情報が示す保存先にアクセスすることにより、読取部が読み取った印刷データ情報が示すファイル名を有する印刷データを取得し、表示部は、通信部が取得した印刷データに基づく画像を表示する。これにより、画像形成装置に印刷ジョブを実行させる前に、どのような画像が印刷されるかを確認することができるので、ユーザーからすると利便性が良い。
【００１１】
上記構成において、好ましくは、携帯情報端末を振動させる振動発生部を備え、振動発生部の振動駆動のオン／オフ設定を示す振動設定情報が印刷データ情報に付加されており、振動発生部は、振動設定情報を含む印刷データ情報を読取部が読み取ったとき、振動設定情報が示すオン／オフ設定に基づき振動駆動する。これにより、符号化された印刷データ情報を記録媒体に複数印刷したとしても、複数の印刷データ情報のそれぞれに互いに異なる設定の振動設定情報を付加しておけば、振動設定情報が示すオン／オフ設定に基づき携帯情報端末が振動するので、所望の印刷データに対応する印刷データ情報を容易に識別することができる。
【００１２】
また、本発明の画像形成システムは、上記した携帯情報端末と、印刷データの保存先となる記憶装置と、印刷データに基づき印刷ジョブを実行する画像形成装置と、が通信可能に接続される画像形成システムであって、画像形成装置は、携帯情報端末が読み取った印刷データ情報が示すファイル名を有する印刷データに基づく印刷ジョブの実行要求を携帯情報端末から受けた場合、携帯情報端末が読み取った印刷データ情報が示す保存先に対応する記憶装置と通信することにより、携帯情報端末が読み取った印刷データ情報が示すファイル名を有する印刷データを記憶装置から取得し、記憶装置から取得した印刷データに基づき印刷ジョブを実行する。
【００１３】
このように構成された画像形成システムでは、記憶装置に保存された印刷データに基づく印刷ジョブを画像形成装置に実行させるとき、保存先の情報（アドレスなど）を画像形成装置に入力しなくてもよくなる。したがって、少ない操作で簡単に、記憶装置に保存された印刷データに基づく印刷ジョブを画像形成装置に実行させることができる。これにより、ユーザーが行う操作が減るので、ユーザーの利便性が向上する。
【００１４】
上記構成において、好ましくは、画像形成装置は、ユーザー認証のための認証情報の入力を受け付ける入力部を備えているとともに、携帯情報端末は、認証情報の入力を促す情報を表示する表示部を備えており、画像形成装置は、記憶装置から取得した印刷データに基づく印刷ジョブの実行に先立って、認証情報の入力を促す情報を表示するよう携帯情報端末に指示し、認証情報の入力を入力部が受け付けた場合に、記憶装置から取得した印刷データに基づき印刷ジョブを実行する一方、認証情報の入力を入力部が受け付けていない場合には、記憶装置から取得した印刷データに基づく印刷ジョブを実行しない。これにより、認証されたユーザーしか画像形成装置に印刷ジョブを実行させることができないので、情報の漏洩が抑制される。
【発明の効果】
【００１５】
以上のように、本発明によれば、印刷ジョブの実行に際して、ユーザーが行う操作を減らすことでユーザーの利便性を向上させることが可能な携帯情報端末および画像形成システムを得ることができる。
【図面の簡単な説明】
【００１６】
【図１】本発明の一実施形態による画像形成システムの概略図
【図２】図１に示した画像形成システムに含まれる画像形成装置の詳細図
【図３】図１に示した画像形成システムに含まれる画像形成装置および記憶装置のハードウェア構成図
【図４】図１に示した画像形成システムに含まれる携帯情報端末のハードウェア構成図
【図５】図１に示した画像形成システムに含まれる携帯情報端末により読み取られる符号化された印刷データ情報を印刷した記録媒体の図
【図６】図５に示した印刷データ情報を携帯情報端末が読み取るときの図
【図７】図１に示した画像形成システムにおいて携帯情報端末から複合機に印刷ジョブの実行要求を行うときの動作を説明するためのフロー図
【図８】図１に示した画像形成システムにおいて画像形成装置が印刷ジョブを実行するときの動作を説明するためのフロー図
【発明を実施するための形態】
【００１７】
（画像形成システムの全体構成）
図１に示すように、本実施形態の画像形成システムＳは、複合機１００と、サーバー２００と、携帯情報端末３００と、を備える。複合機１００、サーバー２００および携帯情報端末３００は、それぞれが通信機能を有する。これにより、複合機１００、サーバー２００および携帯情報端末３００を互いに通信可能とすることができる。たとえば、複合機１００、サーバー２００および携帯情報端末３００は、インターネットなどのネットワークＮＴを介して互いに通信可能に接続される。また、複合機１００と携帯情報端末３００との間については、ＩｒＤＡやＢｌｕｅｔｏｏｔｈ（登録商標）などの近距離無線通信規格を用いた通信を行ってもよい。なお、複合機１００は本発明の「画像形成装置」に相当し、サーバー２００は本発明の「記憶装置」に相当する。
【００１８】
複合機１００は、コピージョブ、送信（スキャン）ジョブおよびファックスジョブなどの複数種のジョブを実行することができる。また、複合機１００は、サーバー２００に印刷データが保存されている場合、サーバー２００と通信することでサーバー２００に保存された印刷データを取得し、サーバー２００から取得した印刷データに基づく印刷ジョブを実行することができる。
【００１９】
たとえば、複合機１００は、コンビニエンスストアなどの店舗に設置される。そして、コンビニエンスストアなどの店舗では、複合機１００を利用したサービスを提供する。一例として、ユーザーは、所望の印刷データを予めサーバー２００に保存しておくことにより、複合機１００が設置された店舗において、サーバー２００に保存された所望の印刷データに基づく印刷ジョブを複合機１００に実行させることができる。これにより、ユーザーからすると、所望の印刷データに基づく画像が印刷された印刷物を常時携帯する必要がなくなり、利便性が良い。この場合、ユーザー所望の印刷データに基づく印刷ジョブの実行要求を受けた複合機１００は、ユーザー所望の印刷データが保存されたサーバー２００と通信し、そのサーバー２００からユーザー所望の印刷データを取得する。そして、複合機１００は、ユーザー所望の印刷データに基づき印刷ジョブを実行する。
【００２０】
（複合機の構成）
図２に示すように、複合機１００は、操作パネル１０１、原稿搬送部１０２Ａ、画像読取部１０２Ｂ、給紙部１０３、用紙搬送部１０４、画像形成部１０５、定着部１０６および後処理部１０７などを備える。なお、以下の説明では、給紙部１０３、用紙搬送部１０４、画像形成部１０５および定着部１０６を含む機構部を印刷部１０８（図３参照）と称する場合もある。
【００２１】
操作パネル１０１は、たとえば、装置正面側に配置される。この操作パネル１０１は、表示面上にタッチパネルが設けられた液晶表示部１１（本発明の「入力部」に相当）を有する。液晶表示部１１は、ユーザーから入力操作を受け付けるためのソフトキーやメッセージなどを配した画面を表示する。そして、液晶表示部１１の表示面を覆うタッチパネルは、ユーザーが指定したソフトキー（タッチパネルを介してユーザーがタッチしたソフトキー）を検知するために設けられている。また、操作パネル１０１には、数値入力を受け付けるためのテンキーや、ジョブ実行の開始指示を受け付けるためのスタートキーなどのハードキー１２が設けられている。
【００２２】
原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２３】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づく画像を印刷することができる。また、スキャンによって得られた画像データを蓄積することもできる。
【００２４】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２５】
用紙搬送部１０４は、複合機１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２６】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含む。
【００２７】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２８】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００２９】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷が完了する。
【００３０】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３１】
また、図３に示すように、複合機１００は、中央演算処理装置であるＣＰＵ１１１を有する主制御部１１０を備える。主制御部１１０は、画像処理部１１２および記憶部１１３と接続される。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、各種ジョブの実行に必要な制御用プログラムおよび制御用データがＲＯＭに記憶され、それら制御用プログラムおよび制御用データがＲＡＭに展開される。
【００３２】
また、主制御部１１０は、操作パネル１０１、原稿搬送部１０２Ａ、画像読取部１０２Ｂ、給紙部１０３、用紙搬送部１０４、画像形成部１０５、定着部１０６および後処理部１０７と接続される。そして、主制御部１１０は、記憶部１１３に記憶された制御用プログラムおよび制御用データに基づき、全体制御、表示制御、画像処理制御、および、各種回転体を回転させるモーターの駆動制御などを行う。
【００３３】
さらに、主制御部１１０は、通信部１１４と接続される。通信部１１４は、主制御部１１０から指示を受け、サーバー２００および携帯情報端末３００と通信し、印刷データなどのデータを送受信する。なお、通信方式については特に限定されない。たとえば、インターネットなどのネットワークＮＴを介した通信を行ってもよいし、ＩｒＤＡやＢｌｕｅｔｏｏｔｈ（登録商標）などの近距離無線通信を行ってもよい。あるいは、各機器をケーブルなどで互いに接続してもよい。
【００３４】
（サーバーの構成）
図３に示すように、サーバー２００は、ＣＰＵ２１１を有する制御部２１０を備える。制御部２１０は、記憶部２１２および通信部２１３と接続される。記憶部２１２は、各種のプログラムおよびデータを記憶する。また、記憶部２１２は、複合機１００で印刷可能な印刷データを保存する。通信部２１３は、ネットワークＮＴに接続され、複合機１００および携帯情報端末３００とネットワークＮＴを介して通信する。
【００３５】
（携帯情報端末の構成）
図４に示すように、携帯情報端末３００は、ＣＰＵ３１１を有する制御部３１０を備える。制御部３１０は、制御用プログラムおよび制御用データを格納する記憶部３１２と接続され、携帯情報端末３００を構成する各部の制御を行う。たとえば、制御部３１０は、通信部３１３、近距離通信部３１４、表示部３１５、操作部３１６（本発明の「受付部」に相当）、カメラ部３１７（本発明の「読取部」に相当）および振動発生部３１８の制御を行う。
【００３６】
通信部３１３は、マイクおよびスピーカーを有する通話部３１３ａと接続される。通信部３１３は、最寄りの基地局と通信することで、他機との間での通話を可能とする。あるいは、ネットワークＮＴを介したデータの送受信を可能とする。近距離通信部３１４は、ＩｒＤＡやＢｌｕｅｔｏｏｔｈ（登録商標）などの近距離無線通信を行うために設けられている。
【００３７】
表示部３１５は、たとえば、液晶表示パネル３１５ａ（図１参照）を含み、各種情報を表示する。操作部３１６は、複数のキー３１６ａ（図１参照）を含み、文字や数字などの入力を受け付ける。この操作部３１６が操作されると、制御部３１０は、操作部３１６が受けた操作に対応する処理を行う。
【００３８】
カメラ部３１７は、ＣＣＤおよびＣＭＯＳなどの撮像素子、被写体で反射された反射光を撮像素子に導くレンズやミラー、撮像素子からのアナログ信号をデジタルの画像データに変換するＡ／Ｄ変換部、および、Ａ／Ｄ変換部からの画像データに対して画像処理を施す画像処理部などを含む。これにより、携帯情報端末３００を用いて被写体を撮影することができる。
【００３９】
また、カメラ部３１７は、ＱＲコード（登録商標）などの二次元コードの復号を行う画像解析部３１７ａも含む。これにより、ＱＲコード（登録商標）などの二次元コードをカメラ部３１７に読み取らせることで、ＱＲコード（登録商標）を復号化することができる（ＱＲコード（登録商標）の情報内容を携帯情報端末３００に認識させることができる）。
【００４０】
振動発生部３１８は、たとえば、振動モーター（モーター軸に分銅が偏って取り付けられたモーター）からなっている。これにより、振動発生部３１８は、駆動することで振動する。そして、制御部３１０は、振動発生部３１８の駆動を制御し、携帯情報端末３００を振動させる。
【００４１】
（携帯情報端末から複合機への印刷ジョブの実行要求）
本実施形態では、ユーザーは、図５に示すようなドキュメントリスト５００を予め作成しておくことにより、サーバー２００に保存された印刷データに基づく印刷ジョブを複合機１００に実行させるときに、所望の印刷データの保存先の情報（アドレスなど）を複合機１００に入力しなくてもよくなる。
【００４２】
ここで、ドキュメントリスト５００は、ＱＲコード（登録商標）などの二次元コード５０１を記録媒体に印刷したものである。そして、この二次元コード５０１は、サーバー２００に保存された印刷データの保存先アドレス（「保存先」に相当）およびファイル名を示す印刷データ情報を符号化したものである。
【００４３】
ドキュメントリスト５００を利用して複合機１００に印刷ジョブを実行させたいユーザーは、まず、図６に示すように、携帯情報端末３００を操作し、所望の印刷データに対応する二次元コード５０１（符号化された印刷データ情報）の読み取りをカメラ部３１７に行わせる。すなわち、携帯情報端末３００のカメラ部３１７（画像解析部３１７ａ）は、二次元コード５０１を撮像し、二次元コード５０１を復号化する。そして、携帯情報端末３００の記憶部３１２は、復号化された印刷データ情報を記憶する。
【００４４】
携帯情報端末３００のカメラ部３１７が二次元コード５０１を読み取る（復号化する）と、携帯情報端末３００の操作部３１６は、画像表示指示および印刷ジョブ実行指示を受け付ける。なお、画像表示指示というのは、印刷データ情報が示すファイル名を有する印刷データに基づく画像を携帯情報端末３００の表示部３１５に表示させるための指示であり、印刷ジョブ実行指示というのは、印刷データ情報が示すファイル名を有する印刷データに基づく印刷ジョブを複合機１００に実行させるための指示である。
【００４５】
画像表示指示に対応する操作が携帯情報端末３００に対して行われた場合、携帯情報端末３００の通信部３１３は、携帯情報端末３００のカメラ部３１７が読み取った印刷データ情報が示す保存先アドレスに対応するサーバー２００と通信し、携帯情報端末３００のカメラ部３１７が読み取った印刷データ情報が示すファイル名を有する印刷データをサーバー２００から取得する。そして、携帯情報端末３００の表示部３１５は、携帯情報端末３００の通信部３１３が取得した印刷データに基づく画像を表示する。
【００４６】
一方で、印刷ジョブ実行指示に対応する操作が携帯情報端末３００に対して行われた場合、携帯情報端末３００の通信部３１３は、複合機１００と通信し、復号化された印刷データ情報が示すファイル名を有する印刷データに基づく印刷ジョブの実行要求を複合機１００に行う（復号化された印刷データ情報を複合機１００に送信する）。なお、このときには、複合機１００との間で近距離無線通信を行ってもよい。
【００４７】
この後、複合機１００は、復号化された印刷データ情報が示す保存アドレスに対応するサーバー２００と通信し、復号化された印刷データ情報が示すファイル名を有する印刷データをサーバー２００から取得する。そして、複合機１００は、サーバー２００から取得した印刷データに基づき印刷ジョブを実行する。
【００４８】
ただし、印刷データによっては、ユーザー認証を経なければ印刷が許可されない場合がある。この場合、複合機１００は、サーバー２００から取得した印刷データに基づく印刷ジョブの実行に先立って、携帯情報端末３００と通信し、ユーザー認証のための認証情報（たとえば、ユーザー名やパスワードなど）の入力を促す情報を表示するよう携帯情報端末３００に指示する。この指示を受け、携帯情報端末３００の表示部３１５は、ユーザー認証のための認証情報の入力を促す情報を表示する。
【００４９】
そして、複合機１００は、認証情報の入力を操作パネル１０１が受け付けた場合に、サーバー２００から取得した印刷データに基づき印刷ジョブを実行する。一方で、複合機１００は、認証情報の入力を操作パネル１０１が受け付けていない場合には、サーバー２００から取得した印刷データに基づく印刷ジョブを実行しない。
【００５０】
なお、図５に示したように、ドキュメントリスト５００には、二次元コード５０１（符号化された印刷データ情報）を複数印刷することができる。この場合、ユーザーによっては、所望の印刷データに対応する二次元コード５０１を識別できないことがある。そこで、二次元コード５０１と共に、その二次元コード５０１に含まれるファイル名を有する印刷データに基づく画像のサムネイル５０２を印刷してもよい。
【００５１】
しかし、サムネイル５０２は原画像を縮小した見難い画像であるので、二次元コード５０１と共にサムネイル５０２を印刷したとしても、ユーザーによっては、所望の印刷データ情報に対応する二次元コード５０１を識別できないことがある。したがって、携帯情報端末３００の振動発生部３１８の振動駆動のオン／オフ設定を示す振動設定情報を二次元コード５０１に付加することができる。
【００５２】
二次元コード５０１に振動設定情報を付加すると、携帯情報端末３００のカメラ部３１７で二次元コード５０１の読み取りを行ったとき、振動設定情報が示すオン／オフ設定に基づき、携帯情報端末３００の振動発生部３１８が振動駆動する（携帯情報端末３００そのものが振動する）。たとえば、印刷データの更新日時が新しいほど振動回数が多くなるように設定したり、印刷データの重要度が高いほど振動回数が多くなるように設定したりすることが考えられる。これにより、ユーザーからすると、所望の印刷データ情報に対応する二次元コード５０１の識別が容易になる。
【００５３】
（携帯情報端末が複合機に印刷ジョブの実行要求を行うときの流れ）
以下に、図７に示すフローチャートを参照して、携帯情報端末３００が印刷ジョブの実行要求を複合機１００に行うときの流れについて説明する。
【００５４】
まず、図７のフローチャートのスタート時点では、ユーザー所望の印刷データがサーバー２００に保存されているとする。さらに、図５に示したようなドキュメントリスト５００をユーザーが所持しているとする。なお、このドキュメントリスト５００には、ユーザー所望の印刷データに対応する二次元コード５０１（符号化された印刷データ情報）が印刷されているとする。そして、二次元コード５０１の読み取りを開始するための操作が携帯情報端末３００に対して行われたとき、図７のフローチャートがスタートする。
【００５５】
ステップＳ１において、携帯情報端末３００の制御部３１０は、カメラ部３１７（画像解析部３１７ａ）に指示し、二次元コード５０１（符号化された印刷データ情報）を撮像させ、復号化させる。そして、ステップＳ２において、制御部３１０は、復号化した印刷データ情報を記憶部３１２に記憶させる。
【００５６】
ステップＳ３において、制御部３１０は、復号化した印刷データ情報が示すファイル名を有する印刷データに基づく画像を表示部３１５に表示させるための画像表示指示を受け付けたか否か判断する。判断の結果、画像表示指示を受け付けていれば、ステップＳ４に移行する。
【００５７】
ステップＳ４に移行すると、制御部３１０は、通信部３１３に指示し、復号化した印刷データ情報が示す保存先アドレスに対応するサーバー２００と通信させ、復号化した印刷データ情報が示すファイル名を有する印刷データをサーバー２００から取得させる。そして、ステップＳ５において、制御部３１０は、表示部３１５に指示し、通信部３１３が取得した印刷データに基づく画像を表示させる。その後、ステップＳ６に移行する。
【００５８】
一方で、ステップＳ３において、画像表示指示を受け付けていない場合には、ステップＳ４に移行せず、ステップＳ６に移行する。ステップＳ６に移行すると、制御部３１０は、復号化した印刷データ情報が示すファイル名を有する印刷データに基づく印刷ジョブを複合機１００に実行させるための印刷ジョブ実行指示を受け付けたか否かを判断する。判断の結果、印刷ジョブ実行指示を受け付けていれば、ステップＳ７に移行する。
【００５９】
ステップＳ７に移行すると、制御部３１０は、通信部３１３に指示し、復号化した印刷データ情報を複合機に送信させる。すなわち、復号化した印刷データ情報が示すファイル名を有する印刷データに基づく印刷ジョブの実行要求を複合機１００に行う。
【００６０】
なお、ステップＳ６において、印刷ジョブ実行指示を受け付けていない場合には、ステップＳ８に移行する。ステップＳ８に移行すると、制御部３１０は、印刷ジョブの実行をキャンセルするためのキャンセル指示を受け付けたか否かを判断する。判断の結果、キャンセル指示を受け付けていれば、印刷ジョブの実行要求を行わず、終了する。一方で、キャンセル指示を受け付けていなければ、ステップＳ３に移行する。
【００６１】
（複合機が印刷ジョブを実行するときの流れ）
以下に、図８に示すフローチャートを参照して、複合機１００が印刷ジョブを実行するときの流れについて説明する。
【００６２】
図８のフローチャートのスタートは、復号化された印刷データ情報が示すファイル名を有する印刷データに基づく印刷ジョブの実行要求を携帯情報端末３００から受けたとき（復号化された印刷データ情報を携帯情報端末３００から受信したとき）である。
【００６３】
ステップＳ１１において、複合機１００の主制御部１１０は、通信部１１４に指示し、印刷データ情報が示す保存先アドレスに対応するサーバー２００と通信させ、印刷データ情報が示すファイル名を有する印刷データをサーバー２００から取得させる。そして、ステップＳ１２において、主制御部１１０は、印刷ジョブの実行に際してユーザー認証が必要な印刷データであるか否かを判断する。判断の結果、ユーザー認証が必要であれば、ステップＳ１３に移行する。
【００６４】
ステップＳ１３に移行すると、主制御部１１０は、通信部１１４を介し、ユーザー認証のための認証情報の入力を促す情報を表示するよう携帯情報端末３００に指示する。この指示を受け、携帯情報端末３００の表示部３１５は、ユーザー認証のための認証情報の入力を促す情報を表示する。そして、ステップＳ１４において、主制御部１１０は、認証情報が入力されたか否かを判断する。判断の結果、認証情報が入力されていれば、ステップＳ１５に移行する。
【００６５】
ステップＳ１５に移行すると、制御部１１０は、入力された認証情報が有効であるか否かを判断する。判断の結果、認証情報が有効であれば、ステップＳ１６に移行する。なお、ステップＳ１２において、ユーザー認証が必要でない場合にも、ステップＳ１６に移行する。ステップＳ１６に移行すると、主制御部１１０は、印刷部１０８に指示し、印刷ジョブを実行させる。
【００６６】
一方で、ステップＳ１４において、認証情報が入力されていない場合には、ステップＳ１７に移行する。また、ステップＳ１５において、認証情報が有効でない場合にも、ステップＳ１７に移行する。ステップＳ１７に移行すると、主制御部１１０は、印刷ジョブの実行をキャンセルするためのキャンセル指示を受け付けたか否かを判断する。判断の結果、キャンセル指示を受け付けていれば、印刷ジョブを実行せず、終了する。一方で、キャンセル指示を受け付けていなければ、ステップＳ１４に移行する。
【００６７】
本実施形態では、上記のように、カメラ部３１７（読取部）は、記録媒体に印刷された情報であり、印刷データの保存先アドレス（保存先）およびファイル名を示す情報である符号化された印刷データ情報（二次元コード５０１）を読み取る。また、通信部３１３は、カメラ部３１７が読み取った印刷データ情報が示す保存先アドレスおよびファイル名を複合機１００（画像形成装置）に送信し、カメラ部３１７が読み取った印刷データ情報が示すファイル名を有する印刷データに基づく印刷ジョブの実行要求を複合機１００に行う。
【００６８】
そして、複合機１００は、携帯情報端末３００が読み取った印刷データ情報が示すファイル名を有する印刷データに基づく印刷ジョブの実行要求を携帯情報端末３００から受けた場合、携帯情報端末３００が読み取った印刷データ情報が示す保存先アドレスに対応するサーバー２００（記憶装置）と通信することにより、携帯情報端末３００が読み取った印刷データ情報が示すファイル名を有する印刷データをサーバー２００から取得し、サーバー２００から取得した印刷データに基づき印刷ジョブを実行する。
【００６９】
これにより、複合機１００に通信可能に接続された外部のサーバー２００に印刷データを保存している場合において、外部のサーバー２００に保存された印刷データに基づく印刷ジョブを複合機１００に実行させるとき、保存先アドレスを複合機１００に入力しなくてもよくなる。したがって、少ない操作で簡単に、外部のサーバー２００に保存された印刷データに基づく印刷ジョブを複合機１００に実行させることができる。これにより、ユーザーが行う操作が減るので、ユーザーの利便性が向上する。
【００７０】
また、本実施形態では、上記のように、カメラ部３１７が読み取った印刷データ情報が示すファイル名を有する印刷データに基づく印刷ジョブを複合機１００に実行させるための印刷ジョブ実行指示を受け付ける操作部３１６（受付部）を備え、通信部３１３は、印刷ジョブ実行指示を操作部３１６が受け付けた場合に、カメラ部３１７が読み取った印刷データ情報が示す保存先アドレスおよびファイル名を複合機１００に送信し、カメラ部３１７が読み取った印刷データ情報が示すファイル名を有する印刷データに基づく印刷ジョブの実行要求を複合機１００に行う。これにより、印刷データ情報の読み取りを誤って行ってしまったとしても、印刷ジョブ実行指示を行わなければ、複合機１００において印刷ジョブが実行されることはない。すなわち、不要な印刷物が出力されるのを抑制することができる。
【００７１】
また、本実施形態では、上記のように、画像を表示する表示部３１５を備え、操作部３１６は、カメラ部３１７が読み取った印刷データ情報が示すファイル名を有する印刷データに基づく画像を表示部３１５に表示させるための画像表示指示も受け付け、通信部３１３は、画像表示指示を操作部３１６が受け付けた場合には、カメラ部３１７が読み取った印刷データ情報が示す保存先アドレスにアクセスすることにより、カメラ部３１７が読み取った印刷データ情報が示すファイル名を有する印刷データを取得し、表示部３１５は、通信部３１３が取得した印刷データに基づく画像を表示する。これにより、複合機１００に印刷ジョブを実行させる前に、どのような画像が印刷されるかを確認することができるので、ユーザーからすると利便性が良い。
【００７２】
また、本実施形態では、上記のように、携帯情報端末３００を振動させる振動発生部３１８を備え、振動発生部３１８の振動駆動のオン／オフ設定を示す振動設定情報が印刷データ情報に付加されており、振動発生部３１８は、振動設定情報を含む印刷データ情報をカメラ部３１７が読み取ったとき、振動設定情報が示すオン／オフ設定に基づき振動駆動する。これにより、符号化された印刷データ情報（二次元コード５０１）を記録媒体に複数印刷したとしても、複数の印刷データ情報のそれぞれに互いに異なる設定の振動設定情報を付加しておけば、振動設定情報が示すオン／オフ設定に基づき携帯情報端末３００が振動するので、所望の印刷データに対応する印刷データ情報を容易に識別することができる。
【００７３】
また、本実施形態では、上記のように、複合機１００は、ユーザー認証のための認証情報の入力を受け付ける操作パネル１０１（入力部）を備えているとともに、携帯情報端末３００は、認証情報の入力を促す情報を表示する表示部３１５を備えている。そして、複合機１００は、サーバー２００から取得した印刷データに基づく印刷ジョブの実行に先立って、認証情報の入力を促す情報を表示するよう携帯情報端末３００に指示し、認証情報の入力を操作パネル１０１が受け付けた場合に、サーバー２００から取得した印刷データに基づき印刷ジョブを実行する一方、認証情報の入力を操作パネル１００が受け付けていない場合には、サーバー２００から取得した印刷データに基づく印刷ジョブを実行しない。これにより、認証されたユーザーしか複合機１００に印刷ジョブを実行させることができないので、情報の漏洩が抑制される。
【００７４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７５】
１００  複合機（画像形成装置）
１０１  操作パネル（入力部）
２００  サーバー（記憶装置）
３００  携帯情報端末
３１３  通信部
３１５  表示部
３１６  操作部（受付部）
３１７  カメラ部（読取部）
３１８  振動発生部
５０１  二次元コード（符号化された印刷データ情報）
【図１】
0005771562.tif 000002
【図２】
0005771562.tif 000003
【図３】
0005771562.tif 000004
【図４】
0005771562.tif 000005
【図５】
0005771562.tif 000006
【図６】
0005771562.tif 000007
【図７】
0005771562.tif 000008
【図８】
0005771562.tif 000009